(57)【特許請求の範囲】
【請求項１】
複数の映像記録装置のうち少なくとも一の映像記録装置のカメラの撮影条件を設定情報として記憶し管理する設定管理装置と、
前記設定情報を前記設定管理装置から取得する取得手段と、取得した前記設定情報に従って自装置のカメラに撮影を行わせる撮影制御手段とを備える映像記録装置と、
を有することを特徴とする映像記録システム。
【発明の詳細な説明】
【技術分野】
【０００１】
本発明は、映像撮影のメニュー設定をネットワーク経由で行う映像記録システムに関する。
【背景技術】
【０００２】
コンビニ、スーパー等の商業店舗内、銀行等のビル内では、犯罪等防止の為に、複数の監視用のカメラを使った監視が行われている。これらカメラで撮った画像はモニタに表示され、ガードマン等に目視で監視されるとともに、映像記録装置に記録され、一定期間保存される。１つの映像記録装置には通常１６台のカメラが接続可能となっている。
【０００３】
コンビニ、レンタルビデオ店等の大規模なチェーン店の監視ではすべての店舗において同じ監視システムが導入されることが多く、店舗毎に同一の映像記録装置が使われている。また、巨大ビル内等の大規模な監視では、複数の映像記録装置が用いられている。
【０００４】
映像記録装置を動作させる際には記録のコマ数、圧縮の度合い等のメニュー設定を行う必要があるが、大規模なエリアの監視を行う場合は、管理上、複数の映像記録装置全てを同じメニュー設定情報にする必要がある（特許文献１参照。）。
【特許文献１】特開２００２−１５８９９５号公報
【発明の開示】
【発明が解決しようとする課題】
【０００５】
従来は映像記録装置の設定を紙等に複写して覚えておき、複数の映像記録装置ひとつひとつについて、手動にてメニュー設定を行い、同様の設定にしておく必要があった。
【０００６】
しかしながら、このように手動にて１台ずつ設定を行うと、設定に手間と時間がかかるだけでなく、設定する値を間違える恐れがあるという問題があった。
【０００７】
本発明は、上記の問題点を解決する為になされるものであり、映像記録装置のメニュー設定情報をネットワーク経由でファイルとして受信し、複数の映像記録装置に同一設定を容易に且つ正確に行うことが出来る映像記録システムを提供することを目的とする。
【課題を解決するための手段】
【０００８】
上記問題点を鑑みて、本発明は、次の構成を有する映像記録システムを提供する。
複数の映像記録装置のうち少なくとも一の映像記録装置のカメラの撮影条件を設定情報として記憶し管理する設定管理装置と、
前記設定情報を前記設定管理装置から取得する取得手段と、取得した前記設定情報に従って自装置のカメラに撮影を行わせる撮影制御手段とを備える映像記録装置と、
を有することを特徴とする映像記録システム。
【発明の効果】
【００１１】
本発明によれば、複数の映像記録装置において、ある映像記録装置で設定した項目をファイル化し、他の映像記録装置に送って設定するので、全ての映像記録装置を簡単且つ確実に同じメニュー設定情報にすることが出来る。又、メニュー設定情報をファイルにバックアップすることができるので、故障や新機種購入等で映像記録装置を入れ換えても設定をやり直す必要がない。尚、このファイルはバイナリファイルなど容易に読みとれない形式とすればセキュリティを高めることができ好適である。
【発明を実施するための最良の形態】
【００１２】
以下、本発明の実施の形態に係る映像記録システムについて説明する。尚、本発明の実施の形態において使用される機器、手法等は一例であり、本発明はこれらに限定されるものでないことは勿論である。
【００１３】
（実施の形態）
（映像記録システム）
本発明の実施の形態に係る映像記録システムは、図１に示すように、映像記録装置１０１，１０４、カメラ１０２、表示部１０３、構内ＬＡＮ１０５、設定管理装置１０６等より構成される。
【００１４】
各々の映像記録装置１０１，１０４には複数のカメラ１０２（図１では４台）が接続されており、これらのカメラ１０２の撮影した映像を記憶する。カメラ１０２は、監視するエリアに設置され、監視エリアの映像撮影を行う一般の防犯用カメラ、監視カメラ等を指す。表示部１０３は、複数のカメラ１０２によって撮影された映像を表示する為のＣＲＴモニタ、液晶モニタ等を指す。モニタ画面は通常４分割等され、このうちの１分割領域に１つのカメラ１０２が撮影する監視エリアが表示される。設定管理装置１０６は、映像記録装置１０１，１０４のメニューの設定情報のバックアップを保管、管理する。バックアップされたメニューの設定情報は、複数のカメラ１０２を動作制御する際に使用される。映像記録装置１０１，１０４及び設定管理装置１０６は構内ＬＡＮ１０５に接続されている。
【００１５】
尚、映像記録装置１０１のＩＰアドレスは「１９２．１６８．３４．１６９」、映像記録装置１０４のＩＰアドレスは「１９２．１６８．３４．１７０」、設定管理装置１０６のＩＰアドレスは「１９２．１６８．３４．１７１」とする。
【００１６】
映像記録装置１０１，１０４は、図２に示すような構造を有し、ネットワーク・インターフェース・カード（以下「ＮＩＣ」と記載）２０１、エンコーダ２０２、デコーダ２０３、図１の設定管理装置１０６に接続されるインテグレイテッド・ドライブ・エレクトロニック・インターフェース（以下「ＩＤＥ」と記載）２０４、スモール・コンピュータ・システム・インターフェース（以下「ＳＣＳＩ」と記載）２０６、主記憶部２０７、ＣＰＵ２０８、操作部２０９、表示部１０３等より構成される。これらの機器はバスライン２１１を介して互いに通信可能とする。
【００１７】
ＮＩＣ２０１は、ＬＡＮアダプタ、ＬＡＮカード等を指し、ケーブルを介して来た信号を映像記録装置に伝える。エンコーダ２０２は、１つまたは複数の入力信号のいくつかを選択して出力信号とする電子回路である。例えば、電話からのアナログ信号をＬＡＮにのせられるデジタル信号に変換したりする。デコーダ２０３は、１つまたは複数の出力信号のいくつかを選択して入力信号とする電子回路である。たとえばＣＰＵ２０８がアドレスバスに出力するアドレス信号を受ける際、そのアドレス値を解釈したりする。
【００１８】
ＩＤＥ２０４は、設定管理装置１０６と映像記録装置１０１，１０４のハードディスクを接続するための標準的な接続規格のインターフェースである。１つケーブルでマスター、スレーブの２つの接続ができる。ＳＣＳＩ２０６は、映像記録装置１０１，１０４と周辺機器を接続するインターフェースである。操作部２０９は、ユーザが映像記録装置１０１，１０４のメニュー設定等を行う際に使用する図６の設定ボタン６０１、上下ボタン６０２、右ボタン６０３、ジョグダイヤル６０４等をさす。この他、キーボード、マウス等が含まれていても良い。
【００１９】
主記憶部２０７は、フラッシュメモリ等より構成される記憶装置である。主記憶部２０７には図３に示すような送受信手段であるコモンゲートウェイインタフェース（以下、「ＣＧＩ」と記載）手段３０１、エンコーダ手段３０２、デコーダ手段３０３、操作手段３０４、メモリ管理手段３０５と、これらの手段と接続されるシステム制御手段３０６が格納されている。ＣＰＵ２０８がこれらの手段を適宜ロードし、演算処理することにより映像記録装置１０１，１０４の処理が実行される。
【００２０】
ＣＧＩ手段３０１は、ＣＧＩの機能とハイパーテキスト・トランスファ・プロトコル・デーモン（以下、「ＨＴＴＰデーモン」と記載）の機能を備えており、Ｗｅｂサーバとしての動作を行うモジュールである。エンコーダ手段３０２は、エンコード処理を実行するモジュールである。デコーダ手段３０３は、デコーダ処理を実行するモジュールである。操作手段３０４は、図６の操作部２０９を介し、ユーザ入力等を促し、入力値を取得する為のモジュールである。
【００２１】
メモリ管理手段３０５は、メニュー設定情報のファイルのバックアップ処理等を行うモジュールである。バックアップは電気的に消去、書き換え可能な不揮発性ＲＯＭであるエレクトリカリ・イレイザブル・プログラマブル・リードオンリ・メモリ（以下「ＥＥＰＲＯＭ」と記載）等に書き込まれる。システム制御手段３０６は、全体のシステム制御を行うモジュールであり、内部のモジュールの制御、統合、設定管理装置１０６等の外部装置との通信の制御等を行う。更に、システム制御手段３０６は、設定された設定情報をＣＧＩ手段３０１を介して設定管理装置１０６に保管させ且つ必要に応じ設定管理装置１０６よりＣＧＩ手段３０１を介して自装置の設定情報若しくは他の映像記録装置によって設定された他の映像記録装置の設定情報を取得し、自装置の設定情報若しくは他の映像記録装置の設定情報のいずれかに従って複数の映像記録装置に同一の設定を行う。
【００２２】
以下、映像記録装置１０１の設定及びメニュー設定情報の転送を行う手順について説明する。
【００２３】
（ａ）ステップＳ４００として、映像記録装置１０１のシステム制御手段３０６は、ユーザにメニュー設定情報の入力を促す。システム制御手段３０６は、設定ボタン６０１の押下を示す入力信号を確認すると、表示部１０３上にメニュー画面を表示させる。上下ボタン６０２の押下を示す入力信号を確認すると、設定項目の選択を促し、右ボタン６０３の押下が確認されると設定画面を表示させる。設定画面上には選択可能な候補が複数表示されるので、その中からジョグダイヤル６０４を介しての設定値の入力を促す。尚、メニュー設定情報項目には、図１０に示すように、オンスクリーン表示設定項目、本体表示設定項目、ブザー設定項目、入力記録設定項目、タイトル設定項目、動作設定項目、外部記録動作設定項目、モニタ表示設定項目、アラーム・センサ記録設定項目、プログラムタイマ設定項目、ネットワーク設定項目及びディスクユーティリティ・保持項目等がある。
【００２４】
最後に、設定が完了し設定ボタン６０１が再度押下されるのを確認すると、システム制御手段３０６は、メニュー設定終了と判断し、この設定のファイルを主記憶部２０７に格納する。
【００２５】
（ｂ）次は、設定管理装置１０６に映像記録装置１０１のメニュー設定情報を転送する。
【００２６】
ステップＳ４０１においては、設定管理装置１０６が、ブラウザのアドレス欄に図１の映像記録装置１０１のＩＰアドレス「１９２．１６８．３４．１６９」を入力し、ＮＩＣ２０１を介し、映像記録装置１０１アクセスする。映像記録装置１０１のＣＧＩ手段３０１は、このアクセスを受けると、図７（ａ）のユーザ認証をおこなうための認証入力画面を設定管理装置１０６に送信する。
【００２７】
ステップＳ４０２にてこの認証入力画面上に、管理者権限で予め映像記録装置１０１に登録されているユーザ名、パスワードの入力を促し、入力されたユーザ名、パスワードを映像記録装置１０１のＣＧＩ手段３０１に送信する。ステップＳ４０３でＣＧＩ手段３０１はこの認証を行う。ステップＳ４０４で正常に認証完了すると認証情報のバックアップをとり、図７（ｂ）の画面を送信する。図７（ｂ）の画面より「ダウンロード」が選択されると、ダウンロード用ファイルデータを作成するため図７（ｃ）の実行画面が表示される。この実行画面上の「実行」ボタンがクリックされると、ステップＳ４０５にて設定管理装置１０６はＣＧＩ手段３０１にダウンロード要求を送信する。
【００２８】
（ｃ）ステップＳ４０６において、映像記録装置１０１のＣＧＩ手段３０１はシステム制御手段３０６にバックアップ要求を行う。これに応じステップＳ４０７にてシステム制御手段３０６は、ＣＧＩ手段３０１に対し待機の指示を行う。ステップＳ４０８にて待機の指示を受けたＣＧＩ手段３０１は、設定管理装置１０６に待機中の画面を返信する。
【００２９】
（ｄ）ステップＳ４０９にて、待機中の画面を送信された設定管理装置１０６は、モニタ上に待機中の画面を表示する。またこの待機中の画面のＨＴＭＬソースコードには一定間隔で画面を更新する指示が記載されている。例えば
<META http-equiv="refresh" content="10">
と記載されている。これにより設定管理装置１０６は、ステップＳ４１３、Ｓ４１５、Ｓ４２１のように、１０秒毎等にアクセスを行う。
【００３０】
（ｅ）一方バックアップ要求を受けたシステム制御手段３０６は、ステップＳ４１０において、バックアップ中の操作を禁止するためスリープモードでシステムを再起動する。これにより、エンコーダ手段３０２はエンコーダ２０２のエンコードを中止し、デコーダ手段３０３はデコーダ２０３のデコードを中止し、操作手段３０４は操作部２０９の操作を受け付けなくなる。
【００３１】
（ｆ）ステップＳ４１１にて、システム制御手段３０６はその後メモリ管理手段３０５にバックアップの指示を行う。ステップＳ４１２において、指示を受けたメモリ管理手段３０５は主記憶部２０７の一時記憶領域にバックアップデータの作成を開始する。
【００３２】
尚、上述したように、設定管理装置１０６は待機中の画面のＨＴＭＬソースコードに記載された画面更新の指示に従い、ステップＳ４１３（Ｓ４１５）にて一定間隔でＣＧＩ手段３０１にアクセスし、これを受けたＣＧＩ手段３０１は、ステップＳ４１４（Ｓ４１６）にてシステム制御手段３０６にアクセスするが、バックアップが完了していない場合はこのアクセスは無視される。
【００３３】
ステップＳ４１７にて、バックアップデータの作成が終了すると、ステップＳ４１８にてメモリ管理手段３０５はシステム制御手段３０６にバックアップ完了のフラグを送る。ステップＳ４１９にてシステム制御手段３０６はバックアップ完了のフラグをみてバックアップが正常に完了したかどうかを判断し、正常に完了した場合はステップＳ４２０にてシステムを通常モードで再起動する。
【００３４】
（ｇ）その後は設定或いは操作に基づいてエンコーダ手段３０２はエンコーダ２０２でエンコードを行い、デコーダ手段３０３はデコーダ２０３でデコードを行う。エンコーダ２０２でエンコードされたデータはＩＤＥ２０４を介して設定管理装置１０６に記録され、設定管理装置１０６に記録されたファイルはＩＤＥ２０４を介してデコーダ２０３でデコードされて再生される。また記録の容量を増やしたい場合は、外付けのハードディスクをＳＣＳＩ２０６に接続して使用することができる。また通常モードで再起動すると、その後、操作手段２０４は操作部２０９の操作を受け付ける。
【００３５】
システムが再起動された後、ステップＳ４２１にて設定管理装置１０６から再度アクセスがあり、ステップＳ４２２にてＣＧＩ手段３０１がシステム制御手段３０６にアクセスすると、ステップＳ４２３にてシステム制御手段３０６はＣＧＩ手段３０１にバックアップ完了の信号を返す。これを受けたＣＧＩ手段３０１は、ステップＳ４２４にて設定管理装置１０６に図７（ｄ）のダウンロード画面を返信し、ステップＳ４２５にて設定管理装置１０６はモニタ上にダウンロード画面を表示する。
【００３６】
ステップＳ４２６にて設定管理装置１０６でダウンロード画面の保存ボタンを選択すると、ステップＳ４２７にてＣＧＩ手段３０１を経由してメモリ管理手段３０５にダウンロード要求が送られる。ステップＳ４２８では、メモリ管理手段３０５は一時記憶領域に作成したバックアップファイルを、例えば
「epbackup.dat」という名前を付け、ＣＧＩ手段３０１を経由して設定管理装置１０６に送信する。これを受け取った設定管理装置１０６は図８（ａ）に示すようにダウンロードしたファイルを「epbackup.dat」という名前で保存する。また設定管理装置１０６はダウンロードしたのちに、ファイルを管理しやすいファイル名に、図８（ｂ）のようにリネームすることもできる。設定管理装置１０６はこのようにして送られた設定情報を保存し、管理する。尚、上記においては映像記録装置１０１について説明されているが、映像記録装置１０４においても同様のメニュー設定を行うことが可能である。
【００３７】
次に、バックアップしたファイルを用いて映像記録装置１０１の設定を映像記録装置１０４に転送する手順について説明する。
【００３８】
（ａ）バックアップの手順と同様に、ステップＳ５０１にて設定管理装置１０６は、ブラウザのアドレス欄に図１の映像記録装置１０４のＩＰアドレス「１９２．１６８．３４．１７０」の入力を確認すると、ユーザ認証をおこなうための図７（ａ）の認証入力画面を設定管理装置１０６のモニタ上に表示させる。ステップＳ５０２にて管理者権限であらかじめ映像記録装置１０４に登録されているユーザ名、パスワードの入力を確認し、映像記録装置１０４へ転送する。ステップＳ５０３にて映像記録装置１０４のＣＧＩ手段３０１はこれを認証し、ステップＳ５０４にて設定管理装置１０６のモニタ上に図７（ｂ）の画面を表示させる。表示された画面上のメニュー項目から「アップロード」が選択されると、更に図９（ａ）の画面を表示させる。
【００３９】
（ｂ）そこで、ステップＳ５０５にてユーザより参照ボタンをクリックされ、設定管理装置１０６の中のファイルやフォルダを参照したり、直接パスやファイル名の入力によりアップロードしたい設定情報を指定する。そしてステップＳ５０６にてユーザから更新ボタンをクリックされ、設定管理装置１０６は映像記録装置１０４のメモリ管理手段３０５に、主記憶部２０７の一時記憶領域に格納する為の指定された設定情報を送信する。
【００４０】
ステップＳ５０７にて、ＣＧＩ手段３０１は送られた設定情報のバージョンをチェックし、適切なバージョンであればステップＳ５０８にてシステム制御手段３０６にアップロード要求を送る。ステップＳ５０９にて、システム制御手段３０６は送られたファイルを所定の名前「epbackup.dat」にリネームし、ステップＳ５１０にて設定情報書き換えのためスリープモードでシステムを再起動する。そしてステップＳ５１１にて、ＣＧＩ手段３０１に待機の指示を送る。ステップＳ５１２にてＣＧＩ手段３０１は設定管理装置１０６に待機の画面を返信し、ステップＳ５１３にて設定管理装置１０６はモニタ上に待機の画面を表示する。
【００４１】
（ｃ）そしてステップＳ５１４にて、設定管理装置１０６は待機中の画面のＨＴＭＬソースコードに記載された画面更新の指示に従い、一定間隔でＣＧＩ手段３０１にアクセスする。ステップＳ５１５にてこれを受けたＣＧＩ手段３０１はシステム制御手段３０６にアクセスするが、バックアップが完了していない場合はこのアクセスは無視される。
【００４２】
ステップＳ５１６にてシステム制御手段３０６はメモリ管理手段３０５にアップロード要求を送り、ステップＳ５１７にてメモリ管理手段３０５は送られた設定情報を主記憶部２０７の指定の領域に配置する。そしてステップＳ５１８にて設定情報のチェックサムを確認する。問題がなければステップＳ５１９にてアップロード完了通知をシステム制御手段３０６に送る。
【００４３】
（ｄ）ステップＳ５２０にてシステム制御手段３０６はメモリ管理手段３０５より送られた信号から、アップロードが完了したかどうかを判断し、成功した場合はステップＳ５２１にて新しい設定情報を用いてシステムを通常モードで再起動する。
【００４４】
ステップＳ５２２にて、システムが再起動された後、設定管理装置１０６から再度アクセスがあると、ステップＳ５２３にてＣＧＩ手段３０１がシステム制御手段３０６にアクセスし、ステップＳ５２４にてシステム制御手段３０６はＣＧＩ手段３０１にアップロード完了通知を返す。ステップＳ５２５にて、これを受けたＣＧＩ手段３０１は設定管理装置１０６に図７（ｂ）のアップロード完了画面を返信し、ステップＳ５２６にて設定管理装置１０６はモニタ上にこの画面を表示する。
【００４５】
（変更例）
実施の形態においては、映像記録装置１０１のメニュー設定情報は、設定管理装置１０６を介してでないと映像記録装置１０４に送信することができないようになっているが、これは、例えば、映像記録装置１０１，１０４をＵＳＢやＩＥＥＥ１３９４にて接続する若しくはインターネット等を介することで、直接メニュー設定情報を送信しても構わない。
【図面の簡単な説明】
【００４６】
【図１】映像記録装置を用いたシステム図である。
【図２】映像記録装置の形態を示すハードウェアのブロック図である。
【図３】映像記録装置の形態を示すソフトウェアのブロック図である。
【図４】映像記録装置のメニュー設定情報のバックアップのフローチャートである。
【図５】映像記録装置のメニュー設定情報のアップロードのフローチャートである。
【図６】映像記録装置の操作部の外観図である。
【図７】ダウンロード時の設定管理装置のモニタの表示画面の例である。
【図８】設定管理装置に保存されるファイルを示す図である。
【図９】アップロード時の設定管理装置の表示画面の例である。
【図１０】メニュー設定情報のデータ構造図である。
【符号の説明】
【００４７】
１０１，１０４…映像記録装置
１０２…カメラ
１０３…表示部
１０４…映像記録装置
１０５…ＬＡＮ
１０６…設定管理装置
２０１…ＮＩＣ
２０２…エンコーダ
２０３…デコーダ
２０４…ＩＤＥ
２０６…ＳＣＳＩ
２０７…主記憶部
２０８…ＣＰＵ
２０９…操作部
２１１…バスライン
３０１…ＣＧＩ手段（送受信手段）
３０２…エンコーダ手段
３０３…デコーダ手段
３０４…操作手段
３０５…メモリ管理手段
３０６…システム制御手段
６０１…設定ボタン
６０２…上下ボタン
６０３…右ボタン
６０４…ジョグダイヤル
【図１】
0004360201.tif 000002
【図２】
0004360201.tif 000003
【図３】
0004360201.tif 000004
【図４】
0004360201.tif 000005
【図５】
0004360201.tif 000006
【図６】
0004360201.tif 000007
【図７】
0004360201.tif 000008
【図８】
0004360201.tif 000009
【図９】
0004360201.tif 000010
【図１０】
0004360201.tif 000011